(57)【要約】【課題】  風邪，インフルエンザ，ＲＳ（Respiratory Syncytial）ウイルス等の感染症等による急激な体温変化が容易に把握できる体温測定装置の提供。【解決手段】  本発明の体温測定装置は、体温測定部で得た体温をトレンド記憶するとともに、脈拍，血圧，血中酸素飽和度（ＳＰＯ２）等の生体情報を併せて記憶し、表示可能とすることを特徴とする。また、予め得られている平常時の体温データとを比較して被検者の状態を判断する判断手段をさらに備えることを特徴とする。また、判断手段により判断された情報を音声，アラーム等で報知または表示することを特徴とする。【選択図】  図１
2007229079.tif 000002
【特許請求の範囲】
【請求項１】
体温測定装置であって、体温測定部で得た体温をトレンド記憶するとともに、脈拍，血圧，血中酸素飽和度（ＳＰＯ２）等の生体情報を併せて記憶し、表示可能とすることを特徴とする体温測定装置。
【請求項２】
予め得られている平常時の体温データとを比較して被検者の状態を判断する判断手段をさらに備えることを特徴とする請求項１記載の体温測定装置。
【請求項３】
前記判断手段により判断された情報を音声，アラーム等で報知または表示することを特徴とする請求項１記載の体温測定装置。
【発明の詳細な説明】
【技術分野】
【０００１】
本発明は、風邪，インフルエンザ，ＲＳ（Respiratory Syncytial）ウイルス等の感染症等による急激な体温変化が容易に把握できる体温測定装置に関し、特に、体温測定部と本体が分離され、体温データをトレンド記憶・表示可能で、脈拍，血圧，血中酸素飽和度（ＳＰＯ２）等の生体情報を併せて記憶し、表示可能な体温測定装置に関する。
【背景技術】
【０００２】
生体情報、行動情報を計測し、乳幼児の状態を推定し、乳幼児の異変に対して適切な対応がとれるようにする監視システムが提案されている（特許文献１：特開２００４−１８１２１８号公報）。しかしながら、感染症等によるに急な体温変化が健常時とどのように異なるか判断するようなものではない。これを改善するシステムとして、生体信号の緊急度を判断し、アラームを発生させるシステムが提案されている（特許文献３:特許３６６１６８６号公報）。しかしながら。体温については大きな閾値４０℃、３４℃を設定し、それと比較するだけであり、トレンド変化によりアラームを発生させるものではない。
【特許文献１】特開２００４−１８１２１８号公報
【特許文献２】特許３６６１６８６号公報
【発明の開示】
【発明が解決しようとする課題】
【０００３】
本発明の目的は、風邪，インフルエンザ，ＲＳ（Respiratory Syncytial）ウイルス等の感染症等による急激な体温変化が容易に把握できる体温測定装置、特に、体温測定部と本体が分離され、体温データをトレンド記憶・表示可能で、脈拍，血圧，血中酸素飽和度（ＳＰＯ２）等の生体情報を併せて記憶し、表示可能な体温測定装置を提供することにある。
【課題を解決するための手段】
【０００４】
上記課題を解決するために、本発明の体温測定装置は、体温測定部で得た体温をトレンド記憶するとともに、脈拍，血圧，血中酸素飽和度（ＳＰＯ２）等の生体情報を併せて記憶し、表示可能とすることを特徴とする。また、予め得られている平常時の体温データとを比較して被検者の状態を判断する判断手段をさらに備えることを特徴とする。また、判断手段により判断された情報を音声，アラーム等で報知または表示することを特徴とする。
【発明の効果】
【０００５】
本発明の体温測定装置によれば、風邪，インフルエンザ，ＲＳ（Respiratory Syncytial）ウイルス等の感染症等による急激な体温変化が容易に把握でき、投薬などの処方を的確に行なうための助けとなる体温測定装置が得られる。
【発明を実施するための最良の形態】
【０００６】
＜携帯端末の構成＞
以下、図面に従って説明する。携帯端末５０には、表示部１１、ブザー等の報知手段１９、無線によるＩＣタグ読取り部１３、入力部１４、記憶部１５、処理フロー等を記憶し、コンピュータで読取り可能なプログラムを記憶しているＲＡＭ１６，ＲＯＭ１７，ｉ−モードによるインターネット等の情報通信ネットワーク（不図示）を介して通信を行なう外部通信部１２を備えている。また、予防接種（インフルエンザ，おたふくかぜ，ポリオ，百日咳，風疹，麻疹，結核等の予防接種）の情報，過去の投薬データ（アレルギー反応を回避した投薬を行なうために必要）も、機能キーを兼ねる入力部１４で入力し、記憶、表示できるようになっている。また、入力部１４で入力項目を適宜選択して、被検者（患者，乳幼児，使用者等）のＩＤデータ（氏名，年齢，性別，生年月日等），体温，体重（投薬量の決定に必要），血圧，脈拍，血中酸素飽和度，血糖値等を入力し、記憶、表示できるようになっている。
【０００７】
また、電池内蔵ＩＣタグ２００（図２（ｃ）参照）で測定した体温も外部通信部２０３から接続端子１２ａを経て携帯端末５０に記憶できるようになっている。また、図３（ａ）示すような血中酸素飽和度測定部（パルスオキシメータ）を携帯端末５０の接続端子１２ａに直接接続し、測定された血中酸素飽和度（ＳＰＯ２），脈拍を記憶、表示したり、測定中の測定中のリアルタイムの値を血中酸素飽和度（ＳＰＯ２），脈拍を表示できるようになっている。また、図３（ｂ）に示すような耳介の適所に装着して血圧測定する血圧測定部を携帯端末５０の接続端子１２ａに直接接続し、血圧値（最高血圧／最低血圧）を測定・表示できるようになっている。この場合、カフの内容積が極めて少なく被検者Ｐにとって血圧測定時の負担感が軽減できる。
【０００８】
なお、体温，血圧，脈拍，血中酸素飽和度，血糖値等は別途それぞれの生体情報を得るための測定装置で測定した値を被検者ＰのＩＤデータとともに測定日時と併せて入力部１４で入力して記憶するようにしてもよい。
【０００９】
＜ＩＣタグの構成＞
図２において、１００は、外部からの通信信号を受けて作動するように構成された温度センサ付ＩＣタグ（ＲＦＩＤ）（体温測温部）である。１０１は、ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。
【００１０】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った被検者Ｐの情報を取得しないようにアンチ・コリージョンタイプとしたり、アンテナ１０３ａから出力される信号を暗号化処理可能にしてセキュリティ機能を持たせることができる。
【００１１】
体温情報もＥＥＰＲＯＭ１０２に記憶できるので、別のベッドや別の部屋に被検者Ｐを移し換えても継続して体温情報を記憶できる。また、病院，保育所等で間違った被検者Ｐの情報を取得しないようにしたり、アンテナ１０３ａから出力される信号を暗号化処理可能にしてセキュリティ機能を持たせることができる。
【００１２】
２００は、電池内蔵で、設定された時間（分）間隔で体温（温度）情報を最大３６０日程度記憶できるように構成された温度センサ付ＩＣタグ（体温測温部）である。この温度センサ付ＩＣタグを被検者Ｐの身体の適所またはリストバンド，オムツ等の適所に設けるなどして健常時の所定時間、例えば２４時間の体温を測定・記憶する。２０１は、ＩＣタグ読み取り部３４からの信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、体温情報も記憶可能である。なお、ロジック部２１０は、より複雑な処理フローの制御が可能なＣＰＵとしてもよい。
【００１３】
温度センサ２０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、乳幼児Ｐに設けられた温度測定部を有するＩＣタグ２００の体温情報を携帯端末５０からの読取り要求信号により、記憶された体温情報を被検者ＰのＩＤ情報とともに携帯端末５０に送信するための送受信回路である。ここでは、通信は、外部送受信部２０３、接続端子１２ａにより電気的な接続で行なわれるが、無線アンテナによる無線で送受信してもよい。２０４ａは内蔵電池であり、この内蔵電池２０４ａで温度センサ付ＩＣタグ２００の全てのプログラム演算処理の電源となっている。２０７はＡ／Ｄ変換部であり、温度センサ２０６と発振回路（不図示）で発生した体温信号をＡ／Ｄ変換するものである。ＩＣタグ２００は、幅Ｗが５ｍｍ×５ｍｍ、厚さＴが１．５ｍｍ程度の大きさである。なお、通信を無線で行なう場合、ＩＣタグ２００は、生体を通過可能な周波数の電磁波での通信（送受信）可能なものであれば、どのような周波数でもよいが、好ましくは１３．５６ＭＨｚの電磁波で送信可能になっている。
【００１４】
体温情報も被検者ＰのＩＤ情報と併せてＥＥＰＲＯＭ２０２に記憶できるので、病院内，保育所等で別のベッドや別の部屋に被検者Ｐを移し換えても継続して体温情報を記憶できる。また、間違った被検者Ｐの情報を取得しないようにしたり、アンテナ２０３ａから出力される信号を暗号化処理可能にしてセキュリティ機能を持たせることができる。
【００１５】
＜電池内蔵ＩＣタグによる体温情報取得＞
乳幼児などの被検者Ｐに対して使用者（母親，保育師，看護師，看護／介護者等）は、まず、ＩＣタグ１００を備えた測温部またＩＣタグ２００を備えた測温部を、外耳道内に挿入したり、面ファスナー等を備える囲包部材で囲包し、着脱自在にオムツに装着したり、リストバンドに設けたりしてＩＣタグ１００または２００が接触するように身体の適所に装着したり貼付けたりする。所定期間、例えば、春季，夏季，秋季，冬季の任意に選択した１ケ月分、１週間分、１日（２４時間）分測定・記憶する。ＩＣタグ１００を用いる場合、所定時間間隔、例えば１０分間隔で、ＩＣタグ１００に体温読み取り要求信号を送り、測定された体温を記憶部１５に年月日時とともにトレンド記憶される。ＩＣタグ２００を用いる場合、ＥＥＰＲＯＭ２０２に時刻とともに体温情報が記憶される。記憶された体温情報は、外部送信部２０３から接続端子１２ａ、信号線を介して携帯端末５０の記憶部１５に年月日時とともにトレンド記憶される。図４は、春季の任意に選択した１日（２４時間）分測定・記憶し、ＥＥＰＲＯＭ２０２に時刻とともに記憶された体温情報，血中酸素飽和度（ＳＰＯ２），血圧情報を表示部１１に表示する一例である。
【００１６】
＜通常の体温測定装置としての機能＞
乳幼児などの被検者Ｐに対して使用者（母親，保育師，看護師，看護／介護者等）が乳幼児などの被検者Ｐに対して熱っぽいと感じたり、少し元気がないと感じたときに、温度測定部を有するＩＣタグ（ＲＦＩＤ）１００を含む測温部を、上述したように、被検者Ｐに対して、外耳道内に挿入したり、面ファスナー等を備える囲包部材で囲包し、着脱自在にオムツ装着したり、リストバンドに設けたりして身体の適所に装着する。測定開始の時間のカウントを開始するか、入力部１４などで測定開始時刻設定（時間設定）指示入力を行なうことにより、測定を開始する。体温情報は、入力部１４で予め設定入力された時間条件、例えば温度測定部を有するＩＣタグ（ＲＦＩＤ）１００を含む測温部を被検者Ｐに装着して測定開始指示入力を行なった時点、所定の温度上昇が確認できた時点等を基点として、例えば５分後にＩＣタグ１００に対してＩＣタグ読取り部１３から所定の周波数、例えば１３．５６ＭＨｚの電磁波を送信（この場合、送受信距離は、３ｃｍ〜１０ｃｍ程度）し、その信号と同期して得られる温度センサ１０６の体温情報を読取る。測定されたこれらの体温情報は、記憶部１５に記憶される。このときの体温情報のピーク値をそのときの体温値として日時とともに記憶し、表示する。この値は、閾値と比較される。体温情報が異常（測定中の異常も含む）と判断されると、アラームを発生させたり、音声で報知する。脈拍，血中酸素飽和度（ＳＰＯ２）を重ねて表示すると、インフルエンザ，ＲＳ（Respiratory Syncytial）ウイルス等の感染症等による呼吸器系疾患が容易に把握できる。
【００１７】
また、電池内蔵のＩＣタグ２００を用いても通常の体温測定装置として使用できる。乳幼児などの被検者Ｐに対して使用者（母親，保育師，看護師，看護／介護者等）が乳幼児などの被検者Ｐに対して熱っぽいと感じたり、少し元気がないと感じたときに、電池内蔵の温度測定部を有するＩＣタグ２００を含む測温部を、被検者Ｐに対して、外耳道内に挿入したり、面ファスナー等を備える囲包部材で囲包し、着脱自在にオムツ装着したり、リストバンドに設けたりして身体の適所に装着する。体温情報は所定時間間隔で測定され、測定されたこれらの体温情報は、ＥＥＰＥＯＭ２０３に記憶される。このときの体温情報のピーク値をそのときの体温値として日時とともに記憶する。記憶された体温情報は、外部送受信部２０３，接続端子１２ａを介して、携帯端末５０の記憶部５０に記憶、表示する。この値は、閾値と比較される。体温情報が異常（測定中の異常も含む）と判断されると、アラームを発生させたり、音声で報知する。脈拍，血中酸素飽和度（ＳＰＯ２）を重ねて表示すると、インフルエンザ，ＲＳ（Respiratory Syncytial）ウイルス等の感染症等による呼吸器系疾患が容易に把握できる。このＩＣタグ２００は、測定間隔にもよるが測定間隔が１分で３日分程度、５分で２週間分程度、１０分で１ケ月分程度の体温測定・記憶が可能となっている。測定間隔の設定は専用の書き込み装置で行なうか、本体５０の入力部１４で行い、接続端子１２ａ、外部送受信部２０３を介して、ＥＥＰＲＯＭ２０２に書き込まれる。
【００１８】
＜その他の機能・動作＞
その他の機能・動作を以下に詳述する。
（1）時刻設定
携帯端末５０の電源ＯＮや携帯端末５０に電池（不図示）を挿入すると、不揮発性メモリであるＲＯＭ１６から、現在の年・月・日・時及びそのサム値を含む必要なデータを読込む。携帯端末５０の電源ＯＮ時や携帯端末５０に電池が挿入されている間は、不図示の工程にて、時計（タイマ）より１時間に１回、００分毎に信号が演算処理部１０に送られ、演算処理部１０は当該信号を受信したら、その時点の年・月・日・時をＲＯＭ１６に書き込む。
【００１９】
次に、読込んだ現在の年・月・日・時のサム値を計算し、読込んだサム値と等しいかを確認する。等しければそのままＳＬＥＥＰ状態に進む。等しくなければ、読込んだ値が不正と判断し、エラーフラグＦＬＡＧｅｒｒをセット（＝１）する。
【００２０】
次に、電源がＯＮされるまでＳＬＥＥＰ状態で待機する。
【００２１】
電源がＯＮされたら、ＦＬＡＧｅｒｒを確認し、所定条件、たとえばそれが１以外だったら検温動作に移行する。もし、ＦＬＡＧｅｒｒが１だったら、日時入力処理に移行する。ここでは、日時の入力を促す画面が表示され、使用者は画面に従い、現在年月日時分を入力する。別法として、ＦＬＡＧｅｒｒの値によらず、電池を挿入後、初回の電源ＯＮの場合は常に日時入力処理に移行する方法も考えられる。その場合は、サム値及びサムチェックの機能は不要になる。また、電波時計を備えることにより、サム値及びサムチェックの機能は不要になる。こうすることで、使用者による年・月・日・時・分の設定が速やかで容易に行なえ、ＥＥＰＲＯＭの現在年月日時分が破損した場合でも、被検者Ｐ自身で正しい日付を速やかに行なえる。こうして、時計機能及びカレンダ−に基づくカレンダ−機能により、設定された現在時刻が表示部１１に表示される。即ち、午前、午後を示すＡＭ，ＰＭとともにその時の時刻が表示される一方、この時計機能による時間カウントが２４時間経過する毎に日付が更新され、この日付はカレンダ−機能により表示部１１に表示される。尚、表示部１１に「年」を表示するようにしてもよい。
【００２２】
以上、実施例に従って説明したが、本願発明は実施例に限定されるものでなく、適宜設計変更が可能である。
【図面の簡単な説明】
【００２３】
【図１】本発明の一実施例を示すブロック図である。
【図２】本発明の実施例に係る温度測定部を有するＩＣタグのブロック図である。
【図３】本発明の実施例に係る生体情報を得る測定部を示す図である。
【図４】本発明の実施例に係る表示例を示す図である。
【符号の説明】
【００２４】
１１・・・表示部、１４・・・入力部、１６・・・ＲＯＭ、１７・・・ＲＡＭ、５０・・・携帯端末、１００，２００・・・ＩＣタグ、１０１，２０１・・・ＲＡＭ、１０２，２０２・・・ＥＥＰＲＯＭ、１０３・・・送信受信回路、１０３ａ・・・アンテナ、１０６，２０６・・・温度センサ
【図１】
2007229079.tif 000003
【図２】
2007229079.tif 000004
【図３】
2007229079.tif 000005
【図４】
2007229079.tif 000006